(57)【要約】      （修正有）【課題】前面に操作パネル、後面に端子台を有する直方体の工業用計器を包装箱内に収納し、運搬する際に、前後面方向からの衝撃を完全に吸収して、最も破損しやすい前面を保護する、包装箱からの製品の取り出しが容易であり、材料コストを低減することができる一対の包装用パッドの提供。【解決手段】包装用パッド２０は１枚の緩衝板材からなり、前記工業用計器の前面又は後面と当接する保護面１１と、保護面１１に隣接し、前記工業用計器側と反対方向に前記包装箱の内側面に沿うようにコの字に折り曲げられ、保護面１１を挟んでコの字状を形成する第１緩衝片１２と、保護面１１から前記工業用計器の側面を狭持するように第１緩衝片１２と平行方向に切り起こされた第１抑え片１３と、からなる。【選択図】図１
2009096472.tif 000002
【特許請求の範囲】
【請求項１】
前面に操作パネル、後面に端子台を有する直方体の工業用計器を包装箱内に収納する際に使用する一対の包装用パッドであって、
前記包装用パッドは１枚の緩衝板材からなり、
前記工業用計器の前面又は後面と当接する保護面と、
前記保護面に隣接し、前記工業用計器側と反対方向に前記包装箱の内側面に沿うようにコの字に折り曲げられ、該保護面を挟んでコの字状を形成する第１緩衝片と、  
前記保護面から前記工業用計器の側面を狭持するように前記第１緩衝片と平行方向に切り起こされた第１抑え片と、
からなることを特徴とする一対の包装用パッド。
【請求項２】
前記第１抑え片の少なくとも一片を折り返して２重構造としたことを特徴とする請求項１記載の一対の包装用パッド。
【請求項３】
前記第１緩衝片を折り返して２重構造としたことを特徴とする請求項１又は２に記載の一対の包装用パッド。
【請求項４】
前記保護面に隣接し、前記工業用計器側と反対方向に前記包装箱の上下面に沿うように折り曲げられ、該保護面を挟んでコの字状を形成する第２緩衝片をさらに有することを特徴とする請求項１乃至３に記載の一対の包装用パッド。
【請求項５】
前記第１緩衝片の端部に第２抑え片を設け、該第１緩衝片を折り返して２重構造とした際、該第２抑え片が前記第１抑え片と重なることを特徴とする請求項１乃至４に記載の一対の包装用パッド。
【請求項６】
請求項１乃至５に係る一対の包装用パッドを対向する内側壁面に収めた包装箱。
【発明の詳細な説明】
【技術分野】
【０００１】
この発明は、ダンボール紙等の緩衝板材からなり、包装箱の内側壁面に収められ収容物を保護する包装用パッドおよびこれを用いた包装箱に関する。
【背景技術】
【０００２】
一般に温度調節器等の工業用計器を運搬する際に、機器が破損しないように、周囲を緩衝材料で覆い、ダンボール紙製の箱等に入れる包装が行われている。この緩衝材料として発砲スチロール等の樹脂材料が使用されてきたが、近年は環境問題からのダンボール紙等の紙材料が主流となってきている。
【０００３】
図１１は従来の包装用パッドの斜視図である。また図１２は従来の包装方法を示す斜視図である。外装箱２５、コの字パッド２１、Ｈ状パッド２２、製品２３、付属機器２４から構成される。コの字パッド２１およびＨ状パッド２２はダンボール紙を折り曲げて製作したものである。図７に示すように、包装時には、まずコの字状パッド２１の平行する２つの側面内に製品２３を挟み込む。次にコの字状パッド２１の平行する２つの側面と垂直する方向からＨ状パッド２２の長手方向の側面を入れ、このＨ状パッド２２で製品２３の両側面を挟んで保護する。そしてこの状態で、コの字状パッド２１の平行する２つの側面の一方を下にして包装箱２５の底部に収める。付属部品４４はＨ状パッド２２の短手方向の側面と包装箱２５で囲まれた隙間部に収め、上から取扱説明書（図示しない）を入れて閉封される。
【０００４】
図１２に示す従来の梱包方法では、温度調節器等の操作パネル面を前面、対向する端子台部を後面、他の長手方向の４面を側面とすると、前後面および側面はコの字状パッド２１またはＨ状パッド２２の平板面で保護される。しかし、前後面側の一方はＨ状パッド２１の短手方向の側面と外装箱２５間に空隙部を有するが、他方はコの字状パッド２１の平板面と包装箱２５の側面で保護されるのみである。
一般に温度調節器等の工業用計器は、前面操作パネルは透明化粧パネルが埋め込まれており、また操作用凸状のボタン部を有しているため、運搬時等の衝撃により最も破損しやすい箇所は前面である。
しかし、従来の包装方法では前述の通り、前後面の一方はコの字状パッド２１の平板面と包装箱２５の側面で保護されているのみであるため、運搬時の前後面方向からの衝撃を完全に吸収することができず、運搬時に稀に前面操作パネルが外れることや、操作ボタンが破損することが観られた。また、前後面側の一方には空隙を有するが、他方は包装箱の内面に密接しているため製品を取り出し難いという問題があった。さらに２種類の大判パッドを使用しているため、材料コストが高いという問題もあった。
【０００５】
また包装する製品は異なるが、ダンボール紙等を折り曲げて製作される緩衝パッドとして、２ピースタイプの紙製緩衝体（例えば特許文献１）や衝撃吸収用コーナパッド（例えば特許文献２）が開示されている。
【特許文献１】特開平５−６５８２３
【特許文献２】特開２０００−１０３４６２
【発明の開示】
【発明が解決しようとする課題】
【０００６】
本発明は上記の問題点に鑑みてなされたものであり、取扱が容易で安価な包装用パッドを用いつつ、工業用計器の前面パネル面及び対向する端子台面方向の耐衝撃性を維持できる包装用パッド及びこれを用いた包装箱を提供することを目的とする。
【０００７】
本発明に係る一対の包装用パッドは、前面に操作パネル、後面に端子台を有する直方体の工業用計器を包装箱内に収納する際に使用する一対の包装用パッドであって、本包装用パッドは１枚の緩衝板材からなり、工業用計器の前面又は後面と当接する保護面と、保護面に隣接し、工業用計器側と反対方向に包装箱の内側面に沿うようにコの字状に折り曲げられ、保護面を挟んでコに字状を形成する第１緩衝片と、保護面から工業用計器の側面を狭持するように第１緩衝片と平行方向に切り起こされた第１抑え片とからなることを特徴とする。
【０００８】
このような簡素な構造としたので、製品の前面操作パネル面及び対向する端子台面は包装用パッドの折り曲げられた端面と包装箱間の空隙部を介して運搬時の衝撃が吸収されるため、製品の前面操作パネル面及び対向する端子台面方向からの衝撃性を吸収することができる。またこの一対の包装用パッドは工業用計器側と反対方向に包装箱の内側面に沿うように折り曲げられ、この保護面を挟んでコに字状を形成されているため、両側に空隙部を有し、この空隙部に指を入れて製品の出し入れすることが可能となる。さらに従来品に比べて、材料コストを低減することができる。
【０００９】
また本発明に係る一対の包装用パッドは、工業用計器を狭持する第１抑え片の少なくとも一片を折り返して２重構造としたことを特徴とする。
【００１０】
このような構造とすることで抑え片の厚みが２倍となり、この抑え片に平行する方向からの衝撃をより吸収することができる。また、一対の包装用パッドにおいて一方の包装用パッドの第１抑え片１２のみを折り返して２重構造とし、他方は折り返さないことにより、一方の包装パッド側と対向する他方の包装用パッド側で挟持する寸法が異なる製品にも対応させることができる。
【００１１】
また本発明に係る一対の包装用パッドは、工業用計器の前後面に当接する保護面に隣接し、工業用計器側と反対方向に包装箱の内側に沿うように折り曲げられ、この保護面を挟んでコの字状を形成する第１緩衝片を折り返して２重構造としたことを特徴とする。
【００１２】
このような構造とすることで製品の操作パネル面および対向する端子台面を支える緩衝片の厚みが２倍となり、製品の操作パネル面および対向する端子台面方向からの衝撃をより吸収することができる。
【００１３】
また本発明に係る一対の包装用パッドは、工業用計器の前後面に当接する保護面に隣接し、工業用計器側と反対方向に包装箱の上下面に添うように折り曲げられ、この保護面を挟んでコの字状を形成する第２緩衝片をさらに有することことを特徴とする。
【００１４】
このように製品の操作パネル面及び対向する端子台面を支える緩衝片を上下方向にも設けることで、製品の操作パネル面及び対向する端子台面方向からの衝撃をさらに吸収することができる。
【００１５】
また本発明に係る包装用パッドは、工業用計器の前後面に当接する保護面に隣接し、工業用計器側と反対方向に包装箱の内側面に沿うように折り曲げられ、この保護面を挟んでコの字状を形成する第１緩衝片の端部に第２抑え片を設け、第１緩衝片を折り返して２重構造とした際、この第２抑え片が、工業用計器の前後面に当接する保護面から工業用計器の側面を狭持するように第１緩衝片と平行方向に切り起こされた第１抑え片と重なることを特徴とする。
【００１６】
このような構造とすることで、製品を挟持するパッドの厚みがさらに増し、抑え片に平行する方向からの衝撃をさらに吸収することができる。
【００１７】
さらに本発明は、前記構造の一対の包装用パッドを包装箱内の対向する２つの内側壁面に収めた包装箱を含む。
【００１８】
このような包装箱を用いることで、取扱が容易で安価な包装用パッドを用いつつ、工業用計器の前面パネル面および対向する端子台面方向の耐衝撃性を維持できる包装箱を提供することができる。
【発明の効果】
【００１９】
以上説明したように、本発明によれば、製品の前面操作パネル面及び対向する端子台面は包装用パッドの折り曲げられた端面と包装箱間の空部部を介して運搬時の衝撃が吸収されるため、製品の前面操作パネル面及び対向する端子台面方向からの衝撃性を吸収することができる。またこの一対の包装用パッドは工業用計器側と反対方向に包装箱の内側面に沿うように折り曲げられ、この保護面を挟んでコに字状を形成されているため、両側に空隙部を有し、この空隙部に指を入れて製品の出し入れすることが可能となる。さらに従来品に比べて、材料コストを低減することができる
【発明を実施するための最良の形態】
【００２０】
以下に図面を参照して本発明の実施例について詳細に説明する。図１は、本発明に係る包装用パッドの第１の実施例を示す斜視図である。また図２は第１の実施例に係る包装用パッドの組み立て用ダンボール紙の一例を示す図である。本実施例に係る包装用パッド２０は図２に示すように１枚のダンボール紙３０から製作される。図１及び図２において、１１は工業用計器の操作パネル前面又は端子部後面と当接する保護面である。また１２は保護面１１に隣接し、工業用計器（図示しない）側と反対方向に包装箱（図示しない）の内側面に沿うように折り曲げられ、保護面１１を挟んでコの字状を形成する第１緩衝片である。さらに１３は保護面１１から工業用計器（図示しない）の側面を狭持するように第１緩衝片１２と平行方向に切り起こされた第１抑え片である。尚、ダンボール紙３０には予め折り曲げる箇所１６および切り起す箇所１７が明確となっており、折り曲げる箇所は窪みが形成されている。
【００２１】
図３は第１の実施例に係る包装用パッドを製作する手順を示す図である。まずダンボール紙３０の両端側に設けられた窪み１６に沿って両端の第１緩衝片１２を９０度折り曲げる（図３のＢ）。次に切れ目１７が設けられている第１抑え片１３を、第１緩衝片を９０度に折り曲げた方向と反対方向に９０度起こす（図３のＣ）。最後に第１抑え片１３に設けられている窪み１６を内側方向に１８０度折り曲げる（図３のＤ）。このように一枚のダンボールを折り曲げまたは切り起こすのみで簡単に製作することができる。この包装用パッド２０の保護面１１は、収められる収納箱の寸法に適合する寸法である。また第１抑え片１３の面間の長さは、収納される製品の側面が略密着して狭持される寸法である。さらに第１緩衝片１２の長さは、付属機器等を収めるために十分な寸法である。尚、本実施例では一対の包装用パッドについて、第１抑え片１２の両辺折り曲げて２重構造とした例であるが、一対の包装用パッドにおいて一方の包装用パッドの第１抑え片１２のみを折り返して２重構造とし、他方は折り返さないことにより、一方の包装パッド側と対向する他方の包装パッド側で挟持する寸法が異なる製品にも対応させることができる。
【００２２】
図４は第１の実施例に係る包装用パッドを用いて製品を包装する際の斜視図を示す図である。なお図４において、図１１と同一のものは同符号を用いる。まず保護面１１からコの字に折り曲げられた第１緩衝片１２を、包装箱２５の内側壁面側に向けて包装箱２５に収める。次に製品２３を包装用パッド２０の第１抑え片１３で囲まれたスペースに収める。また付属機器２４は包装用パッドの第１緩衝片１２が対向するスペースに収め、最後に取扱説明書（図示しない）を上面に載せて閉封される。尚、本実施例は前面操作パネル側の第１抑え片１３は折り返して２重構造としていない事例である。
【００２３】
これにより、製品の前面操作パネル面及び対向する端子台面は包装用パッドの折り曲げられた端面と包装箱間の空隙部を介して運搬時の衝撃が吸収されるため、製品の前面操作パネル面及び対向する端子台面方向からの衝撃性を吸収することができる。またこの一対の包装用パッドは工業用計器側と反対方向に包装箱の内側面に沿うように折り曲げられ、この保護面を挟んでコに字状を形成されているため、両側に空隙部を有し、この空隙部に指を入れて製品の出し入れすることが可能となる。さらに従来品に比べて、材料コストを低減することができる。
【００２４】
次に図５は本発明に係る包装用パッドの第２の実施例を示す斜視図である。また図６は第２の実施例に係る包装用パッド組み立て用のダンボール紙の一例を示す図である。なお図５、６において、図１、２と同一のものは同符号を用いる。本実施例に係る包装用パッド３２も図６に示すように１枚のダンボール紙３１から製作される。ダンボール紙３１には予め折り曲げる箇所１６および切り起す箇所１７が明確となっている。図２に係る第１の実施例と相違する点は、ダンボール紙３１において第１緩衝片１２を２重に折り返すため、長手方向の長さが長くなっている点である。この折り返し部には窪み１６が設けられている。
【００２５】
本実施例に係る包装用パッド３２は図５に示すように、図１に示す包装用パッド２０に対して、製品の操作パネル面および対向する端子台面を支える第１緩衝片を折り返して２重構造としている。
【００２６】
これにより、第１の実施例に係る包装用パッドを用いて包装いた場合に比べて、製品の前面操作パネル面及び対向する端子台面を支える緩衝片の厚みが２倍となり、製品の前面操作パネル面及び対向する端子台面方向からの衝撃をさらに吸収することができる。
【００２７】
次に図７は本発明の係る包装用パッドの第３の実施例を示す斜視図である。また図８は第３の実施例に係る包装用パッド組み立て用のダンボール紙の一例を示す図である。なお図７、８において、図５、６と同一のものは同符号を用いる。本実施例に係る包装用パッド３４も図６に示すように１枚のダンボール紙３３から製作される。ダンボール紙３３には予め折り曲げる箇所１６および切り起こす箇所１７が明確となっている。図５に係る第２の実施例と相違する点は、ダンボール紙３３において保護面１１の長手時方向の端部中央に第２緩衝片１４が設けられている点である。この折り返し部には窪み１６が設けられている。
【００２８】
本実施例に係る包装用パッド３４は図７に示すように、図５示す包装用パッド３２に対して、さらに、製品の操作パネル面および対向する端子台面を支える緩衝片１４が包装箱の上下面に沿うように設けられている。
【００２９】
このように製品の操作パネル面および対向する端子台面を支える緩衝片１４が包装箱の上下面に沿うように設けることで、製品の操作パネル面および対向する端子台面方向からの衝撃をより吸収することができるので、さらに製品の保護作用を高めることができる。
【００３０】
さらに図９は本発明に係る包装用パッドの第４の実施例を示す斜視図である。また図１０は第４の実施例に係る包装用パッド組み立て用のダンボール紙の一例を示す図である。なお図９、１０において、図７、８と同一のものは同符号を用いる。本実施例に係る包装用パッド３６も図１０に示すように１枚のダンボール紙３５から製作される。ダンボール紙３５には予め折り曲げる箇所１６および切り起こす箇所１７が明確となっている。図７に係る第３の実施例と相違する点は、第１緩衝片の端部に第２抑え片が設けられている点である。この折り返し部には窪み１６が設けられている。
【００３１】
本実施例に係る包装用パッド３６は図９に示すように、図７に示す包装用パッド３４に対して、保護面１１からコの字状に折り曲げられた第１緩衝片１２をさらに折り返して２重構造とした場合に、第１緩衝片１２の端部に設けた第２抑え片１５が第１抑え片１３と重なるように、第２抑え片が設けられている。
【００３２】
これにより、製品を挟持するパッドの厚みがさらに増し、抑え片に平行する方向からの衝撃をさらに吸収することができる。
【００３３】
本発明に係る包装用パッドは前記の実施例に限定されるものではない。本実施例はダンボール紙を用いているが、その他材質の折り曲げ、切り起こし可能な緩衝板材も含まれる。また保護面、第１緩衝片、第１抑え片、第２緩衝片及び第２抑え片の形状、寸法についても、収納される製品の形状、重量等を考慮して衝撃吸収性を十分に担保できるように任意に設計することができる。
【００３４】
以上の通り、本発明によれば、製品の前面操作パネル面及び対向する端子台面は包装用パッドの折り曲げられた端面と包装箱間の空隙部を介して運搬時の衝撃が吸収されるため、製品の前面操作パネル面及び対向する端子台面方向からの衝撃性を吸収することができる。またこの一対の包装用パッドは工業用計器側と反対方向に包装箱の内側面に沿うように折り曲げられ、この保護面を挟んでコに字状を形成されているため、両側に空隙部を有し、この空隙部に指を入れて製品の出し入れすることが可能となる。さらに従来品に比べて、材料コストを低減することができる。
【図面の簡単な説明】
【００３５】
【図１】本発明に係る包装用パッドの第１の実施例を示す斜視図である。
【図２】第１の実施例に係る包装用パッド組み立て用のダンボール紙の一例を示す図である。
【図３】第１の実施例に係る包装用パッドを製作する手順を示す図である。
【図４】第１の実施例に係る包装用パッドを用いて製品を包装する際の斜視図を示す図である
【図５】本発明に係る包装用パッドの第２の実施例の斜視図を示す図である。
【図６】第２の実施例に係る包装用パッド組み立て用のダンボール紙の一例を示す図である。
【図７】本発明の係る包装用パッドの第３の実施例を示す斜視図である。
【図８】第３の実施例に係る包装用パッド組み立て用のダンボール紙の一例を示す図である。
【図９】本発明に係る包装用パッドの第４の実施例を示す斜視図である。
【図１０】第４の実施例に係る包装用パッド組み立て用のダンボール紙の一例を示す図である。
【図１１】従来の包装用パッドの斜視図である。
【図１２】従来の包装方法を示す斜視図である。
【符号の説明】
【００３６】
３０、３１、３３、３５・・・ダンボール紙、１１…保護面、１２…第１緩衝片、１３…第１抑え片、１４…第２緩衝片、１５…第２抑え片、１６・・・折り曲げ線、１７…切れ起こし線、２０、３２、３４、３６・・・包装用パッド、２１・・・従来のコの字パッド、２２・・・従来のＨ状パッド、２３・・・製品、２４・・・付属機器、２５・・・包装箱
【図１】
2009096472.tif 000003
【図２】
2009096472.tif 000004
【図３】
2009096472.tif 000005
【図４】
2009096472.tif 000006
【図５】
2009096472.tif 000007
【図６】
2009096472.tif 000008
【図７】
2009096472.tif 000009
【図８】
2009096472.tif 000010
【図９】
2009096472.tif 000011
【図１０】
2009096472.tif 000012
【図１１】
2009096472.tif 000013
【図１２】
2009096472.tif 000014